(57)【特許請求の範囲】
【請求項１】
表示装置本体が搭載される表示装置用回転台であって、
台座と、
前記台座上にローラーを介して配設された円盤状の回転板と、
前記回転板下に配設され、前記回転板を回動させる電動回動機構と、
前記回転板上に配設された光ディスク装置と、
前記光ディスク装置をブリッジ状に跨いで前記回転板上に立設され、前記表示装置本体と接合してこれを搭載する接合部材と、
前記回転板上に前記光ディスク装置、前記接合部材を覆って配設される意匠カバーと、を備える表示装置用回転台。
【請求項２】
前記意匠カバーは、前記光ディスク装置の上面及び背面を覆う部分が取り外し可能な別体で構成されることを特徴とする、請求項１に記載の表示装置用回転台。
【発明の詳細な説明】
【技術分野】
【０００１】
この発明は、液晶表示装置等の表示装置の向きを電動で回転させる機構を有し、光ディスク装置を内蔵した表示装置用回転台に関するものである。
【背景技術】
【０００２】
従来の表示装置用回転台では、台座上に円状にローラーが配置され、ローラーには円盤状の板金であるターンテーブルが搭載される。ターンテーブルの中心穴は台座に形成されたボスに嵌合し、この中心穴が回転台の回転軸となる。
【０００３】
ターンテーブルの裏面にはユニットギアが配置され、ユニットギア内のモーター駆動力がローラーを介して伝達し、ターンテーブルが回転する。また、ターンテーブルには、表示装置本体と接合するための接合部材が配設される。
【０００４】
そして、ユニットギアやローラー、ターンテーブル等の内部構成を遮蔽するため、意匠カバーがこれらを覆うようにして台座に固定される。但し、意匠カバーにはターンテーブルに設けられた接合部材に対応する開口部があり、この開口部を通してターンテーブル上の接合部材と表示装置本体の接合が確保される。
【０００５】
なお、テレビ用回転台装置として特許文献１に開示のものがある。
【先行技術文献】
【特許文献】
【０００６】
【特許文献１】特開平１１−３５５６９３号公報
【発明の概要】
【発明が解決しようとする課題】
【０００７】
上述した従来の表示装置用回転台では、ターンテーブルが回転することにより、表示装置本体は回転する。この際、表示装置本体の下面と回転台の台座に固定された意匠カバーの上面は、近接した状態にある。意匠カバーは台座に固定されており回転しないため、表示装置本体の下面と意匠カバーの上面との間には、少なくとも３ｍｍ程度の隙間を設ける必要がある。そのため、当該隙間から接合部材等の内部構成が見えてしまい、防塵上及び外見上好ましくないという問題点があった。内部構成を隠すためには、リブを表示装置本体に設ける等の対策を講ずる必要がある。
【０００８】
また、表示装置用回転台に光ディスク装置を搭載した場合、光ディスク装置と表示装置本体を固定すると、光ディスク装置に不具合が生じて部品交換を行う場合に、表示装置本体を一旦回転台から取り外した後に光ディスク装置を取り外すことになり、作業の手間が大きいという問題があった。
【０００９】
そこで、本発明は上述の問題点に鑑み、表示装置本体との繋ぎ目の防塵性及び外観が良く、光ディスク装置を取り外す際の作業が容易な表示装置用回転台の提供を目的とする。
【課題を解決するための手段】
【００１０】
本発明の表示装置用回転台は、台座と、台座上にローラーを介して配設された円盤状の回転板と、回転板下に配設され、回転板を回動させる電動回動機構と、回転板上に配設された光ディスク装置と、光ディスク装置をブリッジ状に跨いで回転板上に立設され、表示装置本体と接合してこれを搭載する接合部材と、回転板上に光ディスク装置、接合部材を覆って配設される意匠カバーと、を備える。
【発明の効果】
【００１１】
本発明の表示装置用回転台は、台座と、台座上にローラーを介して配設された円盤状の回転板と、回転板下に配設され、回転板を回動させる電動回動機構と、回転板上に配設された光ディスク装置と、光ディスク装置をブリッジ状に跨いで回転板上に立設され、表示装置本体と接合してこれを搭載する接合部材と、回転板上に光ディスク装置、接合部材を覆って配設される意匠カバーと、を備える。意匠カバーがターンテーブルと共に回転するため、表示装置本体と意匠カバーの隙間を概ね０にすることができ、表示装置用回転台と表示装置本体との繋ぎ目の防塵性及び外観を良くすることが出来る。また、表示装置本体を含めた装置の全高を抑える事が出来る。さらに、表示装置本体を光ディスク装置とは独立の接合部材と接合することにより、表示装置本体を取り外すことなく光ディスク装置を取り外すことができ、作業が容易である。
【図面の簡単な説明】
【００１２】
【図１】実施の形態１の表示装置用回転台の斜視図である。
【図２】実施の形態１の表示装置用回転台の分解図である。
【図３】実施の形態１の表示装置用回転台の側面図である。
【図４】実施の形態２の意匠カバーの分解図である。
【図５】実施の形態２の表示装置用回転台の斜視図である。
【図６】従来の表示装置用回転台の斜視図である。
【図７】従来の表示装置用回転台の分解図である。
【図８】従来の表示装置用回転台の側面図と要部拡大図である。
【図９】光ディスク装置を搭載した従来の表示装置用回転台の斜視図である。
【発明を実施するための形態】
【００１３】
（前提技術）
図６は、本発明の前提となる表示装置用回転台に表示装置本体を搭載した状態の斜視図であり、図７は、その分解図である。表示装置用回転台は、台座１と、ローラー３を介して台座１上に配設される円盤状の板金であるターンテーブル４と、ターンテーブル４上に固定され表示装置本体７と接合する接合部材６と、上記した台座１上の構成部材を外部から遮蔽する意匠カバー８と、を備えている。意匠カバー８は台座１に固定され、台座１と対になってローラー３、ターンテーブル４、接合部材６を覆う。
【００１４】
ターンテーブル４の中心穴４ａは、台座１に一体的に形成されたボス１ａに嵌合している。ターンテーブル４の裏面に配置されたユニットギア５内のモーター駆動力がローラー３を介して伝達し、回転中心軸２を中心としてターンテーブル４は回転する。ターンテーブル４が回転することにより、接合部材６でターンテーブル４と接合している表示装置本体７も、回転中心軸２を中心として回転する。
【００１５】
このようにして表示装置本体７が回転する際、表示装置本体７の最下面に最も近いのは表示装置用回転台の意匠カバー８であるが、意匠カバー８は台座１に固定されており回転しない。そのため、図８に示すように、表示装置本体７と意匠カバー８との接触を避けるべく、表示装置本体７の最下面と意匠カバー８の間には少なくとも３ｍｍ程の隙間を設ける必要がある。そのため、この隙間を通して意匠カバー８内部の接合部材６が見えてしまい、外観上好ましくない。これを防ぐためには、接合部材６を隠すためのリブを表示装置本体７に設ける等の手段が必要である。
【００１６】
また、従来の表示装置用回転台に光ディスク装置９を搭載する場合、図９に示すように、表示装置用回転台の上に光ディスク装置９を搭載し、光ディスク装置９の上に表示装置本体７を設置する形態となることが考えられる。このような場合、例えば不具合を起こした光ディスク装置９を部品交換のために取り出す際、表示装置本体７を表示装置用回転台から取り外した後に、光ディスク装置９を取り外す必要があり、作業に負担がかかる。
【００１７】
そこで、本発明における表示装置用回転台では、以下に詳述する構成によりこのような問題を解決する。
【００１８】
（実施の形態１）
＜構成＞
図１は、実施の形態１の表示装置用回転台及びこれに取り付けられた表示装置本体の斜視図である。図２は同図の分解図である。
【００１９】
図において、表示装置用回転台は、台座１と、台座１上にローラー３を介して配設されたターンテーブル４と、ターンテーブル４を回転させる電動回転機構としてのユニットギア５と、ターンテーブル４上に配設された光ディスク装置９と、同じくターンテーブル４上に光ディスク装置９を跨いで立設された表示装置本体７と接合する接合部材６と、光ディスク装置９を支持する保持部材１０と、を備えている。
【００２０】
接合部材６は、光ディスク装置９を跨ぐブリッジ状であり、両端部がターンテーブル４に固定される。接合部材６は表示装置本体７の接合部材１１と接合するが、接合部材６は光ディスク装置９と接触しないよう配設されるため、表示装置本体７からの負荷が光ディスク装置９に加わることはない。
【００２１】
保持部材１０は、光ディスク装置９の両側面に当接する。保持部材１０には穴１０ａが形成され、穴１０ａがターンテーブル４の突起４ｂと嵌合することにより、ターンテーブル４に固定される。
【００２２】
また、表示装置用回転台は、ターンテーブル４上に、光ディスク装置９と接合部材６を遮蔽するように配設された意匠カバー１２を備える。意匠カバー１２は、接合部材６と表示装置本体７の接合部材１１が接合するための開口部を有している。
【００２３】
＜動作＞
ターンテーブル４の中心に設けられた中心穴４ａ（図示せず）は、台座１に一体的に形成されたボス１ａに嵌合している。ユニットギア５内のモーター駆動力がターンテーブル４に伝達し、ターンテーブル４は中心穴４ａを中心に回転する。ターンテーブル４が回転することにより、接合部材６でターンテーブル４と接合している表示装置本体７も回転する。
【００２４】
意匠カバー１２はターンテーブル４に固定されているため、ターンテーブル４、表示装置本体７と共に回転する。このように、意匠カバー１２と表示装置本体７の相対位置は変動しないため、表示装置本体７の下面と意匠カバー１２の上面の隙間は図３に示すように概ね０とすることができる。
【００２５】
すなわち、実施の形態１の表示装置用回転台は、台座１と、台座１上にローラー３を介して配設された円盤状のターンテーブル４（回転板）と、ターンテーブル４下に配設され、ターンテーブル４を回動させるユニットギア５（電動回動機構）と、ターンテーブル４上に配設された光ディスク装置９と、光ディスク装置９を跨いでターンテーブル４上に立設され、表示装置本体７と接合してこれを搭載する接合部材６と、ターンテーブル４上に光ディスク装置９、接合部材６を覆って配設される意匠カバー１２と、を備える。意匠カバー１２がターンテーブル４と共に回転するため、表示装置本体７と意匠カバー１２の隙間を概ね０にすることができ、表示装置用回転台と表示装置本体７との繋ぎ目の防塵性及び外観を良くすることが出来る。また、表示装置本体７を接合した際の全高も抑えられる。さらに、表示装置本体７を光ディスク装置９とは独立の接合部材６と接合することにより、表示装置本体７を取り外すことなく、光ディスク装置を取り外すことができる。
【００２６】
なお、上述した保持部材１０の穴１０ａは、正円に限らず長穴であっても良い。
【００２７】
すなわち、表示装置用回転台は、光ディスク装置９を両側から支持する、ターンテーブル４（回転板）上に固定された保持部材１０をさらに備え、ターンテーブル４は突起４ｂを備え、ターンテーブル４の突起が保持部材１０に形成された穴１０ａに嵌合することによって、保持部材１０はターンテーブル４に固定され、保持部材１０の穴１０ａは長穴形状であることを特徴とする。これにより、光ディスク装置９の取り外しにあたって、保持部材１０をターンテーブル４上でスライドさせることができ、光ディスク装置９の取り外しが簡便に行える。
【００２８】
また、保持部材１０の穴１０ａとターンテーブル４の突起４ａを逆にしても、同様の効果を奏する。つまり、ターンテーブル４に穴を形成し、保持部材１０にこの穴に嵌合する突起を形成する。
【００２９】
すなわち、表示装置用回転台は、光ディスク装置９を両側から支持する、ターンテーブル４（回転板）上に固定された保持部材１０をさらに備え、保持部材１０は突起を備え、保持部材１０の突起がターンテーブル４に形成された穴に嵌合することによって、保持部材１０はターンテーブル４に固定され、ターンテーブル４に形成された穴は長穴形状であることを特徴とする。これにより、光ディスク装置９の取り外しにあたって、保持部材１０をターンテーブル４上でスライドさせることができ、光ディスク装置９の取り外しが簡便に行える。
【００３０】
＜効果＞
実施の形態１の表示装置用回転台によれば、既に述べたように以下の効果を奏する。すなわち、表示装置用回転台は、台座１と、台座１上にローラー３を介して配設された円盤状の回転板（ターンテーブル４）と、ターンテーブル４下に配設され、ターンテーブル４を回動させる電動回動機構（ユニットギア５）と、ターンテーブル４上に配設された光ディスク装置９と、光ディスク装置９を跨いでターンテーブル４上に立設され、表示装置本体７と接合してこれを搭載する接合部材６と、ターンテーブル４上に光ディスク装置９、接合部材６を覆って配設される意匠カバー１２と、を備える。意匠カバー１２がターンテーブル４と共に回転するため、表示装置本体７と意匠カバー１２の隙間を概ね０にすることができ、表示装置用回転台と表示装置本体７との繋ぎ目の防塵性及び外観を良くすることが出来る。また、表示装置本体７を接合した際の全高も抑えられる。さらに、表示装置本体７を光ディスク装置９とは独立の接合部材６と接合することにより、表示装置本体７を取り外すことなく、光ディスク装置を取り外すことができる。
【００３１】
また、表示装置用回転台は、光ディスク装置９を両側から支持する、ターンテーブル４上に固定された保持部材１０をさらに備え、ターンテーブル４は突起４ｂを備え、ターンテーブル４の突起が保持部材１０に形成された穴１０ａに嵌合することによって、保持部材１０はターンテーブル４に固定され、保持部材１０の穴１０ａは長穴形状であることを特徴とする。これにより、光ディスク装置９の取り外しにあたって、保持部材１０をターンテーブル４上でスライドさせることができ、光ディスク装置９の取り外しが簡便に行える。
【００３２】
あるいは、表示装置用回転台は、光ディスク装置９を両側から支持する、ターンテーブル４（回転板）上に固定された保持部材１０をさらに備え、保持部材１０は突起を備え、保持部材１０の突起がターンテーブル４に形成された穴に嵌合することによって、保持部材１０はターンテーブル４に固定され、ターンテーブル４に形成された穴は長穴形状であることを特徴とする。これにより、光ディスク装置９の取り外しにあたって、保持部材１０をターンテーブル４上でスライドさせることができ、光ディスク装置９の取り外しが簡便に行える。
【００３３】
（実施の形態２）
＜構成＞
図４は、実施の形態２の表示装置用回転台の意匠カバー１２を示したものである。実施の形態２の表示装置用回転台の意匠カバー１２は、図４に示すように、光ディスク装置９の底面と側面と前面を覆う意匠カバー底部１２ａと、光ディスク装置９の上面と背面を覆う意匠カバー上部１２ｂから構成される。それ以外の構成は、実施の形態１の表示装置用回転台と同様であるため、説明を省略する。
【００３４】
すなわち、意匠カバー１２は、光ディスク装置９の上面及び背面を覆う部分が取り外し可能な別体（意匠カバー上部１２ｂ）で構成される。このような構成にすることによって、例えば光ディスク装置９に不具合が発生した場合、図５に示すように意匠カバー上部１２ｂを取り外すだけで、光ディスク装置９を後方にスライドさせて取り外すことができ、作業の手間を軽減することが出来る。
【００３５】
＜効果＞
実施の形態２によれば、既に述べた通り以下の効果を奏する。すなわち、意匠カバー１２は、光ディスク装置９の上面及び背面を覆う部分が取り外し可能な別体（意匠カバー上部１２ｂ）で構成されることを特徴とする。このような構成にすることによって、例えば光ディスク装置９に不具合が発生した場合、意匠カバー上部１２ｂを取り外すだけで、光ディスク装置９を後方にスライドさせて取り外すことができ、作業の手間を軽減することが出来る。
【符号の説明】
【００３６】
１  台座、３  ローラー、４  ターンテーブル、４ａ  中心穴、４ｂ  突起、５  ユニットギア、６  接合部材、７  表示装置本体、９  光ディスク装置、１０  保持部材、１０ａ  穴、１１  接合部材、１２，１３  意匠カバー。
【図１】
0005430302.tif 000002
【図２】
0005430302.tif 000003
【図３】
0005430302.tif 000004
【図４】
0005430302.tif 000005
【図５】
0005430302.tif 000006
【図６】
0005430302.tif 000007
【図７】
0005430302.tif 000008
【図８】
0005430302.tif 000009
【図９】
0005430302.tif 000010